(57)【要約】      （修正有）【課題】位置決めすることが必要でなく、接合棒が、簡単に嵌合孔に挿入されるオスボタン部品及びメスボタン部品の嵌合容易なボタン構造を提供する。【解決手段】オスボタン部品とメスボタン部品とからなり、オスボタン部品は、表ボタンを有し、表ボタンは、底面に、垂直的に、複数の先端がやや細くて鋭くなる接合棒が延びたものである。メスボタン部品は、メスボタンを有し、メスボタンは、係合部が形成されたディスク状体であり、複数の嵌合孔が形成され、嵌合孔の数は、表ボタンの接合棒の倍数になり、また、各嵌合孔は、接合棒が挿入される一面において、表面周縁に、拡張孔状の案内槽が形成され、倍数になる嵌合孔に接合棒が挿入される。【選択図】図５
0003167281.tif 000002
【実用新案登録請求の範囲】
【請求項１】
オスボタン部品とメスボタン部品とからなるボタン構造であって、
前記オスボタン部品は、底面に、複数の接合棒が結合された表ボタンであり、
前記メスボタン部品は、係合部が形成されたディスク状体で、複数の嵌合孔が形成され、各嵌合孔に、案内槽が形成されてなるメスボタンである、
ことを特徴とするボタン構造。
【請求項２】
前記接合棒が、先端がやや細くて鋭くなって、垂直的に伸ばされてなることを特徴とする請求項１に記載のボタン構造。
【請求項３】
前記嵌合孔の数が、表ボタンの接合棒の倍数になるように設計されてなることを特徴とする請求項１に記載のボタン構造。
【請求項４】
前記案内槽が、接合棒が挿入される一面に位置するようにメスボタンに設置されることを特徴とする請求項１に記載のボタン構造。
【請求項５】
前記案内槽が、接合棒が挿入される一面の表面周縁に位置し、平面が拡張孔状に、メスボタンに設置されることを特徴とする請求項４に記載のボタン構造。
【考案の詳細な説明】
【技術分野】
【０００１】
本考案は、衣類等の係止構造、特に、ボタン構造に関するものであり、さらに詳しくは、構成部品のオスボタン部品をメスボタン部品に組み合せて挿入する際に、自動的に案内ガイドと位置決めが容易なボタン構造に関するものである。
【背景技術】
【０００２】
科学技術発達により、各種用途のため及び異なる材質からなる布によって作製された製品が、続々登場している。衣料や衣服には、ボタン及びホック等の係止用具が、不可欠の部品であるが、ボタンを直接に材料に縫製できない場合、ボタン構造を利用して衣料に装着することが多い。また、一般のボタン構造には、メスボタン部品とオスボタン部品とが設けられることが多く、上記メスボタン部品とオスボタン部品は、表ボタンとメス又はオスボタンを衣料に貫設して結合するものである。また、メスボタンの凹槽とオスボタンのリブを合わせることにより、互いに係合することもできる。
【０００３】
図１と図２は、常用のボタンを示したものであり、オスボタン部品とメスボタン部品とを組合わせてからなり、上記オスボタン部品とメスボタン部品とは、ともに、表ボタンとメスボタンを衣料に貫設して結合することにより構成されている。上記オスボタンやメスボタン部品は、表ボタンとメス又はオスボタンの組合わせ方式が同じであるため、以下で、同時に説明することになる。その中で、上記ボタン１は、表ボタン１１とメスボタン１２とからなり、上記表ボタン１１は、断面が、Ｔ形状に類似し、底面の中央において、先端がやや細くて鋭くなって、垂直的に、接合棒１１１が伸びたものである。上記メスボタン１２は、係合部１２１が形成されたディスク状体であり、表ボタン１１の接合棒１１１が衣料１３に通して鋲着されるための中央チャンネル１２２が形成される。
【０００４】
上記のような構造によれば、編み物の衣料に適用される場合、その接合棒１１１が、単一であるため、結合された後、表ボタン１１とメスボタン１２とは、接合棒１１１を中心として、回転する。また、上記ボタンが引っ張られると、上記接合棒１１１により、衣料１３の編み網目において、引かれるため、編み網目が、引っ張られることにより大きくなり、ボタンが、編み網目から脱離して、使用できなくなる。
【０００５】
ボタンの脱落を防止するため、図３と図４のようなボタンが、登場し、また、上記ボタン２は、主として、表ボタン２１とメスボタン２２からなり、上記表ボタン２１は、ほぼ正方形で、その断面が、Ｔ形状に類似し、底面から、垂直的に、複数の先端がやや細くて鋭くなる接合棒２１１が伸び、また、上記メスボタン２２は、係合部２２１が形成された四角形のディスク状体である。上記メスボタン２２において、接合棒２１１に対応する位置に、嵌合孔２２２が設置される。これにより、メスボタン２２の嵌合孔２２２に表ボタン２１の接合棒２１１が、衣料２３を通して鋲着されると、複数の接合棒２１１が衣料２３を通すため、各接合棒２１１が、それぞれ、衣料２３の異なる編み網目に貫設され、これにより、確実に位置付けることができる。
【０００６】
また、上記ボタン２は、容易に、衣料の編み網目から脱離することがないが、このような表ボタン２１とメスボタン２２は、鋲着する過程において、衣料２３の列になるボタンを、対応する位置（例えば、四角形ディスク状の縁や面を上へ向けること）に設置するため、上記表ボタン２１とメスボタン２２を位置決めしてから、接合棒２１１と嵌合孔２２２とを、対向的に挿入して鋲着することが必要であるため、作業が非常に不便であり、手間が掛かるというデメリットが残されている。
【０００７】
かかる状況下において、実用新案登録第３０８５０３４号公報（特許文献１）によれば、脚部付きボタンが提案されている。しかし、かかる提案によれば、中央に単一の脚部が設けられているので、安定性の面で前記の如き問題点を包蔵するものである。
【特許文献１】実用新案登録第３０８５０３４号公報
【考案の開示】
【考案が解決しようとする課題】
【０００８】
従って、本考案の主な課題は、ボタン構造を提供し、表ボタンの複数の接合棒と、メスボタンに位置して、数が接合棒の倍数になる嵌合孔とを有し、また、嵌合孔の周辺に、案内槽が設置される設計により、位置決めを要することなく、簡単に、嵌合定位することができるボタン構造を提供することにある。
【課題を解決するための手段】
【０００９】
かくして、請求項１の考案によれば、
オスボタン部品とメスボタン部品とからなるボタン構造であって、
前記オスボタン部品は、底面に、複数の接合棒が結合された表ボタンであり、
前記メスボタン部品は、係合部が形成されたディスク状体で、複数の嵌合孔が形成され、各嵌合孔に、案内槽が形成されてなるメスボタンである、
ことを特徴とするボタン構造が提供される。
【００１０】
請求項２の考案によれば、前記接合棒が、先端がやや細くて鋭くなって、垂直的に伸ばされてなることを特徴とする請求項１に記載のボタン構造が提供される。
【００１１】
請求項３の考案によれば、前記嵌合孔の数が、表ボタンの接合棒の倍数になるように設計されてなることを特徴とする請求項１に記載のボタン構造が提供される。
【００１２】
請求項４の考案によれば、前記案内槽が、接合棒が挿入される一面に位置するようにメスボタンに設置されることを特徴とする請求項１に記載のボタン構造が提供される。
【００１３】
請求項５の考案によれば、前記案内槽が、接合棒が挿入される一面の表面周縁に位置し、平面が拡張孔状に、メスボタンに設置されることを特徴とする請求項４に記載のボタン構造が提供される。
【考案を実施するための最良の形態】
【００１４】
以下、図面を参照しながら、本考案の特徴や技術内容について、詳しく説明するが、それらの図面等は、参考や説明のためであり、本考案は、それらによって限定されるものではない。
【００１５】
図５乃至図７のように、本考案の一実施形態に係るボタンは、メスボタン部品とオスボタン部品からなり、ボタン３は、表ボタン３１とメスボタン３２を有する。
【００１６】
表ボタン３１は、断面が、Ｔ形状に類似し、底面から、垂直的に、複数の先端がやや細くて鋭くなる接合棒３１１が伸びる。
【００１７】
メスボタン３２は、係合部３２１が形成されたディスク状体であり、上記メスボタン３２に、複数の嵌合孔３２２が形成され、上記嵌合孔３２２の数が、表ボタン３１の接合棒３１１の倍数に設計され、また、接合棒３１１が挿入される各嵌合孔３２２の一面において、表面周縁に、拡張孔状の案内槽３２３が形成される。
【００１８】
表ボタン３１の接合棒３１１が、衣料３３を通してメスボタン３２の嵌合孔３２２に鋲着されると、複数の接合棒３１１が、衣料３３を通すため、各接合棒３１１が、それぞれ、衣料３３の異なる編み網目に貫設されることにより、確実に位置付けることができ、また、上記ボタン３は、容易に、衣料の編み網目から脱離することなく、それから、倍数に設計された嵌合孔３２２に、接合棒３１１が挿入されるため、鋲着する時、定向することを必要しなく、また、図６で示すように平面が拡張孔状の案内槽３２３を利用して、接合棒３１１を嵌合孔３２２に挿入する時、精度よく定位することを必要とすることなく、簡単に、案内槽３２３で、接合棒３１１を嵌合孔３２２に案内でき、これにより、容易に嵌合定位できるボタン構造が実現される。
【００１９】
以上の点から、本考案によれば、より進歩的かつより実用的なボタン構造を提供するものである。
【００２０】
以上は、本考案のより良い実施例であり、本考案は、それらによって限定されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２１】
【図１】従来のボタン一の分解斜視図である。
【図２】従来のボタン一の組合わせ断面概念図である。
【図３】従来のボタン二の分解斜視図である。
【図４】従来のボタン二の組合わせ断面概念図である。
【図５】本考案の一実施形態によるボタンの分解斜視図である。
【図６】本考案の一実施形態によるボタンの他の視角からの分解斜視図である。
【図７】本考案の一実施形態によるボタンの組合わせ断面概念図である。
【符号の説明】
【００２２】
１  ボタン
１１  表ボタン
１１１  接合棒
１２  メスボタン
１２１  係合部
１２２  中央チャンネル
１３  衣料
２  ボタン
２１  表ボタン
２１１  接合棒
２２  メスボタン
２２１  係合部
２２２  嵌合孔
２３  衣料
３  ボタン
３１  表ボタン
３１１  接合棒
３２  メスボタン
３２１  係合部
３２２  嵌合孔
３２３  案内槽
３３  衣料
【図１】
0003167281.tif 000003
【図２】
0003167281.tif 000004
【図３】
0003167281.tif 000005
【図４】
0003167281.tif 000006
【図５】
0003167281.tif 000007
【図６】
0003167281.tif 000008
【図７】
0003167281.tif 000009